(57)【特許請求の範囲】
【請求項１】
内容物放出用の通路部材の内容物放出口に対するヘッド部材の静止モード位置でのシール動作が、操作ボタンの作動モード移行操作により、シール動作設定用の弾性部材に抗する形で解除されるチップストップ機構において、
前記操作ボタンは、
前記作動モード移行操作の際に、
先ず前記シール動作を解除するため、前記通路部材を前記内容物放出口の方の前方向に駆動するテーパ面と、
このシール動作解除後に前記ヘッド部材を作動モード位置へ駆動する天井面と、を備え、
前記通路部材は、
前記テーパ面によって前記前方向に駆動されるテーパ面当接部と、
外部空間域に放出される内容物が通過する放出側の内部空間域と、
当該放出側の内部空間域に形成された前記内容物放出口と、
当該内容物放出口の流出側開口部よりも当該前方向の側に形成された被シール部と、を備え、
前記ヘッド部材は、
容器本体側から前記通路部材への内容物通路として作用し、かつ、当該通路部材を密接状態で案内する内周面からなる筒状部を少なくとも備えた、部材であって、
前記天井面によって前記作動モード位置に駆動される天井面当接部と、
当該筒状部の前端面部分に形成されて前記被シール部とのシール作用を呈するシール作用面と、
当該シール作用を呈する静止モードにおいて、当該通路部材の前記内容物放出口の流出側開口部およびその周りの外周面部分のそれぞれから当該筒状部の径方向に離間し、かつ、当該シール作用面から前記前方向とは逆の後方向の側に続く態様で形成された、筒状部前端側の、当該外周面部分と接触しない内周面部分と、を備え、
前記弾性部材は、
前記被シール部および前記シール作用面が前記静止モードにおいて互いに当接したシール状態に設定される態様で、前記通路部材と前記ヘッド部材との間に設けられている、
ことを特徴とするチップストップ機構。
【請求項２】
前記通路部材は、
直線筒状部からなる前記放出側の内部空間域の後部分を構成して前記ヘッド部材の内周面に案内される摺動部を備え、
前記ヘッド部材は、
前記直線筒状部と同じ直線方向に延び、前記摺動部の前記後方向への移動によりバックサクション作用が生じる内部空間域を有している、
ことを特徴とする請求項１記載のチップストップ機構。
【請求項３】
前記通路部材は、
前記放出側の内部空間域および前記内容物放出口が形成された内側筒状部と、
当該内容物放出口に対向する内容物放出用開口部が形成された外側筒状部と、を備え、
前記ヘッド部材は、
前記シール作用面および前記内周面部分を含む前側部分が、前記内側筒状部と前記外側筒状部との間に配設されている、
ことを特徴とする請求項１記載のチップストップ機構。
【請求項４】
請求項１乃至３のいずれか一項に記載のチップストップ機構を備え、かつ、容器本体内部に内容物を収容した、
ことを特徴とするポンプ式製品。
【請求項５】
請求項１乃至３のいずれか一項に記載のチップストップ機構を備え、かつ、容器本体内部に放出用ガスおよび内容物を収容した、
ことを特徴とするエアゾール式製品。
【発明の詳細な説明】
【技術分野】
【０００１】
本発明は、容器本体の内容物の放出操作終了時に放出口を閉塞して、その近くの通路域に残留する内容物が当該放出口から外部空間の方に漏出しないようにした、すなわちポンプ式容器におけるたれ（固化）やエアゾール式容器におけるアウタードローなどを防止するチップストップ機構や、このチップストップ機構を持つポンプ式製品およびエアゾール式製品に関する。【０００２】
本明細書においては容器内容物の放出口の側を「前」とし、それの反対側を「後」と記す。すなわち図１の左側方向が「前」で、右側方向が「後」となる。【０００３】
また、本明細書における「静止モード」および「作動モード」はポンプ式製品やエアゾール式製品としての動作状態である。チップストップ機構自体は、内容物の放出口を、静止モードのときは閉状態（＝外部空間との遮断状態）に設定し、作動モードのときは開状態に設定する。【０００４】
また、同じく「ポンプ式」は、利用者が、操作部や、容器の一部（周面部分など）などを例えば押圧することにより内容物収納空間の容積が小さくなって、その中の内容物が外部空間に放出される方式を示しており、いわゆる押出式，チューブ式なども含む概念である。【０００５】
適用対象の内容物には、例えば液状またはクリーム状の石けん，シャンプー，リンス，化粧品，乳液や、発泡性のシェービングフォーム，ヘアスタイリングフォームをはじめとして、後述のように各種のものがある。
【背景技術】
【０００６】
内容物のたれ防止やアウタードロー対策を積極的に図ったチップストップ機構としては、例えば下記の特許文献で開示のものがある。【０００７】
このチップストップ機構は、概略、
・操作部材(11)
・当該操作部材が取り付けられて、内容物の放出口およびこれにいたる通路域を備えた仕様のヘッド(12)
・作動モードのときは外部空間側に移動して当該放出口を開状態とし、静止モードへの復帰動作時には外部空間側から当該放出口に入り込んでこれを閉状態にするシール作用部(13e)、を備えた開閉部材(13)
・当該放出口が閉状態となるように当該開閉部材を付勢する弾性部材(15)
・当該弾性部材の遷移にともなって容積が変化する吸引用空間部(17)
などからなっている。【０００８】
そして、内容物の放出操作にともない開閉部材(13)が弾性部材(15)の付勢力に抗しながら前方向（＝シール作用部(13e)がヘッド通路域から遠ざかる方向）に移動することにより放出口を開放状態（作動モード）とし、また、放出操作終了時には、開閉部材(13)が弾性部材(15)の付勢力で放出口閉塞状態に復帰してヘッド通路域などの残留内容物の固化を防止するとともに、吸入用空間域の内部容積が拡大して放出口やその近くのヘッド通路域などの残留内容物を当該空間域に吸入するようになっている。
【特許文献１】特開２００４−３２９９８５号公報
【発明の開示】
【発明が解決しようとする課題】
【０００９】
このように、従来のチップストップ機構は、内容物の放出開始・放出終了に際しての応答性や、放出終了に際しての放出口やその近くのヘッド通路域などの残留内容物のたれ防止や固化防止の点で使い勝手のよい機構になっている。【００１０】
ただ、放出口の開状態（作動終了モード）から閉状態（静止モード）への復帰に際し、開閉部材(13)のシール作用部(13e)がヘッド(12)の放出口にいわばすっぽりと嵌り込むようになっているので、放出口の外側縁部やその近傍外側部分（垂下部(12d)の表面側部分）が外部空間側に露出したままとなり、当該露出部分に付着した内容物が、外気とふれて固化し、使用回数が増えるにつれていわば「つらら」状になっていくことがある。
【００１１】
このように従来の上記チップストップ機構は、「放出口の開状態から閉状態への復帰時に、放出口外側縁部やその近傍の外側部分などの付着ゾーンが外部空間エリアとなってしまうので、そこに付着した内容物が必然的に外気と触れ、固化してしまう」といった点で改善の余地を残している。【００１２】
なお、この改善対象には、残留内容物の吸入用空間域を備えていない、すなわちバックサクション機能を備えていないポンプ容器やエアゾール容器のチップストップ機構も含まれる。【００１３】
本発明では、放出口の開状態（作動終了モード）から閉状態（静止モード）への復帰時に、（放出口内部でのシール作用ではなく）放出口の外側周辺部分に対するシール作用により放出口だけでなく放出口近辺の上記付着ゾーンまでを外部空間から遮断して、当該付着ゾーンの残留内容物の固化防止や外部空間へのたれ防止・アウタードロー防止を図ることを目的とする。
【００１４】
また、開状態の放出口を閉状態（＝外部空間との遮断状態）に復帰させる際にも当該放出口用のシール部材（例えば後述のシール作用面４ａ，２３ｃや前端側の大径内周面４ｂ，２３ｂ）が上記付着ゾーンと接触しない態様のチップストップ構造として、この復帰時に、当該付着ゾーンの残留内容物がシール部材によって被シール部（例えば後述の鍔状部５ｃ，２４ｃ）やその先の外側隣接域（外部空間）に送られるのを抑止し、当該残留内容物の、外部空間へのたれ防止・アウタードロー防止や、これら被シール部および外側隣接域における固化防止を確実に図ることを目的とする。【００１５】
また、バックサクション用空間域を、内容物の放出口のいわば直下流側の通路部分からそれと同じ方向に連続するように設定して、バックサクション作用そのものの効率化を図ることを目的とする。
【課題を解決するための手段】
【００１６】
本発明は、以上の課題を次のようにして解決する。
なお、本段落においては単なる説明の便宜上、必要に応じ、その中の各構成要素について、後述の明細書，図面での各対応部分の名称，参照番号を、当該各構成要素に続く括弧内に併記する。
（１）内容物放出用の通路部材（通路部材５＋尾栓部６，通路部材５'＋尾栓部６，出力通路部材２４）の内容物放出口（放出口５ａ，２４ａ）に対するヘッド部材（ヘッド３＋シール部材４，ヘッド２３）の静止モード位置でのシール動作が、操作ボタン（操作ボタン２，２２）の作動モード移行操作により、シール動作設定用の弾性部材（コイルスプリング７，板バネ２５）に抗する形で解除されるチップストップ機構において、
前記操作ボタンは、
前記作動モード移行操作の際に、
先ず前記シール動作を解除するため、前記通路部材を前記内容物放出口の方の前方向に駆動するテーパ面（テーパ面２ｃ，２２ｃ）と、
このシール動作解除後に前記ヘッド部材を作動モード位置へ駆動する天井面（操作ボタン２，２２それぞれの天井面）と、を備え、
前記通路部材は、
前記テーパ面によって前記前方向に駆動されるテーパ面当接部（被駆動面６ａ，バネ連結部分２４ｈ）と、
外部空間域に放出される内容物が通過する放出側の内部空間域（通路部材５の内部空間域，通路部材５'の内部空間域，放出口２４ａに通じる中央内部空間域）と、
当該放出側の内部空間域に形成された前記内容物放出口と、
当該内容物放出口の流出側開口部よりも当該前方向の側に形成された被シール部（鍔状部５ｃ，２４ｃ）と、を備え、
前記ヘッド部材は、
容器本体側から前記通路部材への内容物通路として作用し、かつ、当該通路部材を密接状態で案内する内周面（小径内周面４ｃ，大径内周面２３ｂの後側に続く小径内周面）からなる筒状部（シール部材４，Ｌ字状通路部分２３ａの前側部分）を少なくとも備えた、部材であって、
前記天井面によって前記作動モード位置に駆動される天井面当接部（ヘッド３の上表面，突状受け部２３ｄ）と、
当該筒状部の前端面部分に形成されて前記被シール部とのシール作用を呈するシール作用面（シール作用面４ａ，２３ｃ）と、
当該シール作用を呈する静止モードにおいて、当該通路部材の前記内容物放出口の流出側開口部およびその周りの外周面部分（大径外周面部分５ｂ，２４ｂ）のそれぞれから当該筒状部の径方向に離間し、かつ、当該シール作用面から前記前方向とは逆の後方向の側に続く態様で形成された、筒状部前端側の、当該外周面部分と接触しない内周面部分（大径内周面４ｂ，２３ｂ）と、を備え、
前記弾性部材は、
前記被シール部および前記シール作用面が前記静止モードにおいて互いに当接したシール状態に設定される態様で、前記通路部材と前記ヘッド部材との間に設けられている、
ものを用いる。
（２）上記（１）において、
前記通路部材（通路部材５＋尾栓部６，通路部材５'＋尾栓部６）は、
直線筒状部からなる前記放出側の内部空間域（通路部材５，５'それぞれの内部空間域）の後部分を構成して前記ヘッド部材（ヘッド３）の内周面に案内される摺動部（尾栓部６）を備え、
前記ヘッド部材は、
前記直線筒状部と同じ直線方向に延び、前記摺動部の前記後方向への移動によりバックサクション作用が生じる内部空間域（ヘッド３の上側内部空間域）を有している、
ものを用いる。
（３）上記（１）において、
前記通路部材（出力通路部材２４）は、
前記放出側の内部空間域（放出口２４ａに通じる中央内部空間域）および前記内容物放出口（放出口２４ａ）が形成された内側筒状部と、
当該内容物放出口に対向する内容物放出用開口部（開口部２４ｆ）が形成された外側筒状部と、を備え、
前記ヘッド部材（ヘッド２３）は、
前記シール作用面（シール作用面２３ｃ）および前記内周面部分（大径内周面２３ｂ）を含む前側部分が、前記内側筒状部と前記外側筒状部との間に配設されている、
ものを用いる。
【００１７】
本発明は、このような構成からなるチップストップ機構，当該チップストップ機構を備えたポンプ式製品および、当該チップストップ機構を備えたエアゾール式製品を対象としている。
【発明の効果】
【００１８】
そして、このチップストップ機構は、
(11) 作動終了モード（＝放出口の開状態）から静止モードへの復帰動作にともない、ポンプ式製品やエアゾール式製品の放出口やその近辺の残留内容物が外部空間にたれ、アウタードローし、またこれが固化することなどを、より確実に防止できる、
(12) 静止モードのとき、残留内容物が付着している（であろう）放出口を利用者からみえないようにできる、
(13) バックサクション作用をより効率的なものにすることができる、
などの効果を奏している。
【図面の簡単な説明】
【００１９】
【図１】図１は、チップストップ機構（その１）の開状態（作動中モード）を示す説明図である。
【図２】図２は、図１のチップストップ機構の開状態（作動終了モード）および閉状態（静止モード）を示す説明図である。
【図３】図３は、チップストップ機構（その２）の開状態（作動終了モード）および閉状態（静止モード）を示す説明図である。
【図４】図４は、チップストップ機構（その３）の開状態（作動終了モード）および閉状態（静止モード）を示す説明図である。
【図５】図５は、図１，図２のチップストップ機構の放出口近傍の外周面形状の変更例を示す説明図である。
【符号の説明】
【００２０】
以下のアルファベット付き参照番号の構成要素（例えば開口部２ａ）は原則として、そのアルファベットなし参照番号の構成要素（例えば操作ボタン２）の一部であることを示している。
【００２１】
１  後述の操作ボタン２およびヘッド３などからなる操作部材
２  操作ボタン，２ａは前側の開口部，２ｂは後側内面から内側に延びる駆動用のリブ状部，２ｃは当該リブ状部に形成された移動方向変換用のテーパ面
３  内容物通路域などを有し後述のピストン８に固定（嵌合）されるヘッド，３ａは後述の尾栓部６の前後方向への移動を案内する孔部，３ｂはリブ状部２ｂの上下方向の移動を許容する開口域，３ｃは後述のピストン８の通路域と直結した内容物通過用の開口部
４  ヘッド３に固定（嵌合）されて静止モードのときに後述の放出口５ａを外部空間から遮断する筒状のシール部材，４ａは前端のシール作用面，４ｂは前端側の大径内周面，４ｃは当該大径内周面の後方に続く小径内周面，
５および５'（図３参照）はシール部材４に案内されて前後方向に移動する鞘状の通路部材，５ａは周面部に形成された放出口，５ｂは当該放出口の直外側の大径外周面部分（大径外周面の一部），５ｃは当該大径外周面に続く部分で静止モードのときシール作用面４ａと当接する鍔状部，５ｄは当該大径外周面の後方に続く小径外周面，５ｅは当該小径外周面に形成されたガイド用の環状突部，５ｆは当該小径外周面に形成された前後方向の後側切欠部，５ｇ（図３参照）はシール部材４の前側全体を覆う形の外筒状のカバー部，５ｈ（図３参照）は当該カバー部の前側部分に放出口５ａと対向する態様で形成された内容物放出用の開口部，５ｊ（図５参照）は大径外周面部分５ｂに形成されてその面積を減じるための凹状部
６  通路部材５の後端側に固定（嵌合）されて操作ボタン２の下方向への押圧操作により前方向駆動力を受ける鞘状の尾栓部，６ａは操作ボタン２のテーパ面２ｃと当接するテーパ形状の被駆動面，６ｂはヘッド３の内周面に案内されるスカート状部，６ｃは前後方向に形成されてチップストップ機構組立時には通路部材５の後側切欠部５ｆと重なって内容物通過用のスリットを設定する前後方向の前側切欠部
７  シール部材４の後端部と尾栓部６のスカート状部６ｂとの間に設けられて通路部材５および尾栓部６を後方向に付勢するコイルスプリング
８  ヘッド３と嵌合して上下方向に連動するピストン，８ａは内容物通過用の孔部，８ｂは当該孔部からその下流側に続く上下方向の通路域，８ｃは当該孔部の外側に連続する段部分
９  ピストン８を収容するシリンダ，９ａは外周面の上側部分に形成された環状鍔部，９ｂは容器内部に対する減圧防止用孔部，９ｃは内容物の流入口，
１０  シリンダ内周面に案内されながら内容物通過用の孔部８ａの開閉部材として作用する環状の上方弁，１０ａは静止モードにおいて後述のブッシュ状部材１３の下端部分１３ｂに当接する上側環状端部
１１  内容物の流入口９ｃの開閉部材として作用するボール状の下方弁
１２  ピストン８を上方向に付勢するためその下方空間域（シリンダ内部）に設けられたコイルスプリング
１３  シリンダ９の上側外周面と嵌合してピストン８の上下動のガイド部材としても作用するブッシュ状部材，１３ａは上側内周面に形成されてヘッド３の垂下筒状部の外周面と（製品の出荷・陳列時などに）螺合するネジ部，１３ｂは静止モードにおける上方弁１０を受け止めてピストン８の最上動位置を規定する下端部分
１４  各種内容物を収納した容器本体，１４ａはシリンダ９が取り付けられる開口側筒状部
１５  開口側筒状部１４ａの外周面と螺合する筒状のキャップ
１６  シリンダ９の環状鍔部９ａと開口側筒状部１４ａの上端面との間に挟持された内容物シール用の環状ラバー
Ａ  上方弁１０と下方弁１１とで画定されるシリンダ内部の貯留空間域
【００２２】
２１  後述の操作ボタン２２およびヘッド２３などからなる操作部材
２２  操作ボタン，２２ａは前側の開口部，２２ｂは後側内面から内側に延びる駆動用の一対のリブ状部（一方のみ図示），２２ｃは当該リブ状部のそれぞれに形成されて後述のバネ連結部分２４ｈの後側表面と当接する移動方向変換用のテーパ面（一方のみ図示）
２３  内容物通路域などを有しピストン８に固定（嵌合）されるヘッド，２３ａはピストン８の直下流域となるＬ字状通路部分，２３ｂは当該Ｌ字状通路部分の前端側の大径内周面，２３ｃは前端のシール作用面，２３ｄは操作ボタン２２の押下げ操作時（＝作動モードへの操作時）に当該ボタンの天井面が当接する突状受け部，２３ｅは操作ボタン２２の内周面に案内される鍔状基部，２３ｆは当該鍔状基部の下端側で操作ボタン２２の内周面に案内される環状突部，２３ｇは当該鍔状基部に形成されて後述の板バネ２５を保持する係合部，２３ｈは当該鍔状基部に形成されてその上面で後述の腕部２４ｇを個々に受けることにより当該腕部（出力通路部材２４）自体のその長手方向軸を中心とした回転を阻止するための一対の起立片部（一方のみ図示）
２４  静止モード・作動モードへの設定操作に基づきヘッド２３のＬ字状通路部分２３ａの前後方向の先端側外周面を覆いながら当該通路部分の内周面に案内されて移動する有底（鞘状）の内側・外側の二重筒状部からなる出力通路部材，２４ａは内側筒状部の周面部に形成された放出口，２４ｂは当該放出口の直外側の大径外周面部分（大径外周面の一部），２４ｃは当該大径外周面に続く部分で静止モードのときにヘッド２３のシール作用面２３ｃと当接する鍔状部，２４ｄは当該大径外周面の後方に続く小径外周面，２４ｅは当該小径外周面に形成されたガイド用のスカート状部，２４ｆは外側筒状部の周面に放出口２４ａと対向する態様で形成された内容物放出用の開口部，２４ｇは外側筒状部から後方に延びる態様で形成された一対の腕部（一方のみ図示），２４ｈは当該腕部それぞれの後端部分に外方へ起立する態様で形成されて操作ボタン２２のテーパ面２２ｃに当接するとともに後述の板バネ２５の自由端部分に拘束された一対のバネ連結部分（一方のみ図示）
２５  一対の腕部２４ｇの外側にそれぞれ作用片（一方のみ図示）が配設されて当該腕部のバネ連結部分２４ｈと一体化し、当該作用片の共通基板部分の端部がヘッド２３の係合部２３ｇに固定された状態で出力通路部材２４を後方向（＝放出口２４ａが閉状態の静止モード）に付勢する板バネ
【実施例１】
【００２３】
なお、上述したように本発明のチップストップ機構はポンプ式容器およびエアゾール式容器のいずれをも適用対象とするものであるが、図１乃至図５を用いた以下の実施形態では、単なる説明の便宜上、ポンプ式容器を前提とする。【００２４】
ここで、図１は操作ボタンの押圧操作により上下動ピストンが下方に移動している途中で上方弁が開いた状態の作動モードを示し、図２(a)〜図４(a) は上下動ピストンが最下方位置まで移動しきった状態の作動終了モードを示し、図２(b)〜図４(b) は上下動ピストンが作動終了モードから上方に復帰した状態の静止モードをそれぞれ示している。【００２５】
なお、図４のヘッド２３は、図１〜図３のシール部材４に相当する前後方向の筒状部（Ｌ字状通路部分２３ａの一部）まで一体化した形になっている。【００２６】
ここで、例えば操作部材１，２１，シール部材４，通路部材５，５’，尾栓部６や出力通路部材２４などはポリプロピレン，ポリエチレン，ポリアセタール，ナイロン，ポリブチレンテレフタレートなどからなるプラスチック製のものであり、コイルスプリング７や板バネ２５などは金属製のものである。【００２７】
なお、尾栓部６（通路部材５，５'）を後方向に付勢するコイルスプリング７および，腕部２４ｇ（出力通路部材２４）を後方向に付勢する板バネ２５の弾性力は、ピストン８を上方向に付勢するコイルスプリング１２のそれよりも十分小さい。
【００２８】
すなわちこれら弾性力の大小関係は、静止モード〔図２〜図４の(b)参照〕の操作ボタン２，２２を押下げた場合に先ず尾栓部６（通路部材５，５’）や腕部２４ｇ（出力通路部材２４）が前方向に移動し、ピストン８は下動しない態様に設定されている。【００２９】
図示の各チップストップ機構の基本的特徴は、概略、
(21) 静止モードのときに内容物の放出口５ａ，２４ａそのものを塞ぐのではなく、当該放出口よりも外部空間側に配設された鍔状部５ｃ，２４ｃにシール部材４やヘッド２３のシール作用面４ａ，２３ｃが当接するようにした、
(22) 作動終了モードからこの当接状態（静止モード）に復帰する際、放出口５ａ，２４ａの周辺の外側部分（＝残留内容物が付着しやすい大径外周面部分５ｂ，２４ｂ）にこれと対向する部分（シール部材４やヘッド２３の大径内周面４ｂ，２３ｂ）が接触しないようにした、
(23) 図１〜図３のチップストップ機構の場合、シール部材４の後端部と尾栓部６のスカート状部６ｂとの間に形成される（シール部材４の通路部よりも大径の）ヘッド内部のバックサクション用空間域を、通路部材５，５’の内容物通路域からそれと同じ長手方向に連続する態様のものにした、
ことなどであって、これにより上述の効果を奏している。【００３０】
利用者が図２(b) などの静止モードの操作ボタン２を下方に押圧操作したときの、図１の作動中モードへの移行動作は次のようになる。
(31) 先ず操作ボタン２のみがその静止モード位置からヘッド３に対して下動し、このときのテーパ面２ｃと被駆動面６ａとのいわば変換作用により尾栓部６および通路部材５を前方に押し出し（このとき尾栓部６のスカート状部６ｂがヘッド３の内周面に案内され、通路部材５の環状突部５ｅがシール部材４の小径内周面４ｃに案内される）、
(32) 操作ボタン２はその内側天井面とヘッド３の上面とが当接する状態まで下動して放出口５ａを最終的な開状態に設定し（このとき上方弁１０は閉じたままである）、
(33) この当接後のヘッド３がさらに下動してこれと一体のピストン８も押し下げられて貯留空間域Ａの内容物圧力が高まることにより、上方弁１０を開状態に設定し、かつ下方弁１１を閉状態に設定する。【００３１】
この上方弁１０および下方弁１１の弁作用により、貯留空間域Ａの内容物は図示の実線矢印の経路で通路部材５の放出口５ａから外部空間へと流出する。【００３２】
そして利用者が操作ボタン２の押圧操作をやめると、ピストン８がコイルスプリング１２の弾性力により上動し、かつ、通路部材５および尾栓部６がコイルスプリング７の弾性力により後方に移動して、静止モードに復帰する。【００３３】
このとき、ピストン８とともに移動する上方弁１０は、ブッシュ状部材１３の下端部分１３ｂに受け止められて内容物通過用の孔部８ａを閉塞した状態に設定される。【００３４】
なお、静止モードへの復帰にともない、貯留空間域Ａの容積が増大してその内部圧力が減少するので、下方弁１１は容器本体１４の内容物の圧力により上動して開状態となり、当該内容物は当該貯留空間域に流入する。【００３５】
内容物の流入にともなって貯留空間域Ａの内部圧力が上記減少時よりも増え、下方弁１１は、この圧力増加や自重のため、流入口９ｃの方に移動して最終的には当該流入口を閉塞する。すなわち、図２(b) などの静止モードの状態になる。【００３６】
また、容器本体１４の内容物が貯留空間域Ａへ流入した分だけ容器内部圧力は減少するものの、ピストン８が図２(b) などの静止モードに完全復帰して上方弁１０の上側環状端部１０ａがブッシュ状部材１３の下端部分１３ｂに当接するまでは減圧防止用孔部９ｂを介した図示の点線矢印経路が確保されるので、当該減少分に見合った外気が容器本体１４の上部空間に流入して、容器内部圧力は適正状態に復帰する。【００３７】
図２〜図４の各チップストップ機構は図面上で明示されるように、
(41)作動終了モードから静止モードに復帰するに際して、残留内容物が付着しやすい放出口近くの大径外周面部分５ｂ，２４ｂに、シール部材４やヘッド２３の前端側の大径内周面４ｂ，２３ｂが接触することはなく、
(42)静止モードへの復帰後は、シール部材４やヘッド２３の前端のシール作用面４ａ，２３ｃが放出口５ａ，２４ａの外側空間域である鍔状部５ｃ，２４ｃに当接して、当該放出口を外部空間から遮断する、
態様になっている。
【００３８】
そのため、作動終了モードから静止モードへの復帰時に、放出口５ａ，２４ａやその外側近辺の残留内容物がシール部材４やヘッド２３の前端側部分（シール動作に関する面部分）によって外部空間の方へと押しやられるようなことは生じない。【００３９】
このように、放出口５ａ，２４ａやその外側近辺の残留内容物がいわば積極的に外部空間側に押される要因を除去したことにともなう、たれ防止作用・アウタードロー防止作用や固化防止作用がバックサクション機能なしのチップストップ機構に対しても有効である、ことは勿論である。【００４０】
なお、図２および図３のチップストップ機構（その１，その２）は、通路部材５，５’の長手方向の延長線上にバックサクション用空間域を設定している。【００４１】
そのため、作動終了モードから静止モードへの復帰時における放出口５ａを含む通路部材５，５’の残留内容物が効率的にバックサクション用空間域へ吸引される。【００４２】
図４のチップストップ機構（その３）が図２および図３のそれと異なっている主な点は、概略、
(51) ピストン８より下流側の内容物通路を、ヘッド２３のＬ字状通路部分２３ａと当該通路部分の前側を覆う出力通路部材２４とで形成し、
(52) この出力通路部材２４を、ヘッド２３の鍔状基部２３ｆに固定された板バネ２５で後方向に付勢し、
(53) ヘッド内部にはバックサクション用空間域を形成せずに、ピストン８の側の上流部分に設定される周知のバックサクション作用部（例えば実開平５−８１０５２号公報）を用いる、
ことなである。【００４３】
なお、操作ボタン２２の押圧にともない、テーパ面２２ｃとバネ連結部分２４ｈとの作用により出力通路部材２４が前方に押し出されて放出口２４ａを開状態に設定し、続いてヘッド２３およびピストン８が下方に移動していくといった、静止モードから作動モードへといたる一連の動作は、上記(31)〜(33)と同様である。【００４４】
また、放出口２４ａに対するヘッド２３の大径内周面２３ｂおよびシール作用面２３ｃなどの動作態様も、上述のように、図１，図２および図３のチップストップ機構のそれと同様である。【００４５】
図５は、例えば図２(a) の作動終了モードから(b) の静止モードに復帰する際に残留内容物が付着しやすい放出口近辺の大径外周面部分５ｂの総面積を小さくするための凹状部５ｊを、当該外周面部分に形成した場合を示している。【００４６】
この大径外周面部分５ｂの実質的な縮小化により静止モードへの復帰などにともなう残留内容物の付着の程度を抑えている。そして、この大径外周面部分への凹状部形成の手法が図３の通路部材５’や図４の出力通路部材２４にも適用できることは勿論である。【００４７】
以上示したチップストップ機構において、通路部材５，５'を固定態様のものとし、シール部材４を前後方向へ移動する態様のものにしてもよい。放出口５ａ，２４ａの向きは下方以外でもよい。
【００４８】
また、シール部材４の内周面，通路部材５，５’の外周面，ヘッド２３の前側筒状部の内周面や、出力通路部材２４の内筒状部の外周面に、大径部分と小径部分とを形成しなくてもよい。【００４９】
なお、以上のチップストップ機構をエアゾール式容器に適用する場合には、概略、
(61) 操作部材１，２１は特に変更を加えずに、
(62) ピストン８と略同一機能のいわゆる「ステム」を用い、
(63) 内容物通過用の孔部８ａの開閉部材としての、環状で外縁部分が容器側に固定された態様のいわゆる「ステムガスケット（上方弁１０に相当）」を用い、
(64) 減圧防止用孔部９ｂや下方弁１１を省略した、
かたちになる。
【実施例２】
【００５０】
本発明が適用されるポンプ式製品やエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。【００５１】
容器本体に収納する内容物は、例えば油成分，アルコール類，界面活性剤，高分子化合物，粉状物，各用途に応じた有効成分などである。【００５２】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。【００５３】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。【００５４】
アルコール類としては、エタノールなどの１価の低級アルコール，ラウリルアルコールなどの１価の高級アルコール，エチレングリコールなどの多価アルコールなどを用いる。【００５５】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。【００５６】
高分子化合物としては、メチルセルロース，ゼラチン，デンプン，カゼインなどを用いる。【００５７】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。【００５８】
さらに、上記内容物以外の、懸濁剤，紫外線吸収剤，乳化剤，保湿剤，酸化防止剤、金属イオン封鎖剤なども用いることができる。【００５９】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図１】
0004974174.tif 000002
【図２】
0004974174.tif 000003
【図３】
0004974174.tif 000004
【図４】
0004974174.tif 000005
【図５】
0004974174.tif 000006